(57)【要約】  溶接電極を保管するための容器（１０）は、熱可塑性物質の射出成形を介して作られる容器ボディ（１１）及び容器キャップ（２５）を含む。容器は、内部領域並びに相補的な上面及び下面を定める壁（１３）で作られる。複数の容器が一緒に積み重ねられるとき、１つの容器（１０）の上面は隣接する容器（１０）の仮面と係合し、したがって容器の間の横方向の動きを拘束する。しかし、上面及び下面の外形は、容器の間の長手方向の動きを可能にする。容器（１０）はさらに、容器（１０）をユーザに固定するために、積み重ね可能な容器ボディ（１１）の開放端部に形動するように構成されたアダプタ（６０）を有する。
2014520040.tif 000002
【特許請求の範囲】
【請求項１】
関連する細長い物を入れるための開放端部を定める１つ又は複数の壁を有する容器ボディであって、前記１つ又は複数の壁は、積み重ね可能な容器が積み重ねの関係で置かれるとき、第１の積み重ね可能な容器の第２の実質的に同様の積み重ね可能な容器に対する長手方向の動きを可能にしながら、横方向の動きを拘束するための相補的な外形を有する、第１及び第２の遠位に配置された面を定める、容器ボディと；
前記容器をユーザに固定するために、前記積み重ね可能な容器の前記開放端部に係合するように構成されたアダプタと；を有する、
前記関連する細長い物を保管するための内部領域を有する積み重ね可能な容器。
【請求項２】
前記アダプタは、保持手段を含む、
請求項１に記載の積み重ね可能な容器。
【請求項３】
前記保持手段は、弾性クリップ、スプリングクリップ、フック、及び輪からなるグループから選択される、
請求項２に記載の積み重ね可能な容器。
【請求項４】
前記保持手段は、前記アダプタの一体要素として形成される；及び／又は前記保持手段は前記アダプタに付けられる；及び／又は前記保持手段は前記アダプタに一時的に付けられる、
請求項２又は３に記載の積み重ね可能な容器。
【請求項５】
前記アダプタは前記容器ボディの前記開放端部に対応する開口を定める、複数の壁を含む、
請求項１乃至４のいずれか１項に記載の積み重ね可能な容器。
【請求項６】
前記アダプタは、前記開放端部と係合されるとき、戻り止め嵌合を形成するように構成される、
請求項１に記載の積み重ね可能な容器。
【請求項７】
前記複数の壁は、そこに形成される長手方向ギャップを有する前壁を含む、
請求項５又は６に記載の積み重ね可能な容器。
【請求項８】
前記複数の壁は、前記前壁の反対側に弾性的で柔軟な後壁を含む、
請求項７に記載の積み重ね可能な容器。
【請求項９】
前記複数の壁は、少なくとも１つのリビングヒンジを含む、
請求項７又は８に記載の積み重ね可能な容器。
【請求項１０】
前記複数の壁は、前記前壁の反対側に後壁を含み、前記少なくとも１つのリビングヒンジは前記後壁に形成される、
請求項９に記載の積み重ね可能な容器。
【請求項１１】
前記容器をユーザに固定するために、特に求項１乃至１０のいずれか１項に記載の、積み重ね可能な容器の開放端部に係合するように構成されたアダプタであって：
前記容器の前記開放端部に対応する通路を定める複数の壁と；
前記容器を前記ユーザに付けるために、前記複数の壁の１つから延びるように構成された保持部材と；を有する、
アダプタ。
【請求項１２】
前記保持部材は、弾性クリップ、スプリングクリップ、フック、及び輪からなるグループから選択される；及び／又は前記保持部材は、前記アダプタの一体要素として形成される；及び／又は前記保持部材は前記アダプタに付けられる、
請求項１１に記載のアダプタ。
【請求項１３】
前記複数の壁は、そこに形成された長手方向ギャップを有する前壁を含む、
請求項１１又は１２に記載のアダプタ。
【請求項１４】
前記複数の壁は、前記前壁の反対側に弾性的で柔軟な後壁を含む、
請求項１３に記載のアダプタ。
【請求項１５】
前記複数の壁は、少なくとも１つのリビングヒンジを含む、及び／又は前記複数の壁は、前記前壁の反対側に後壁を含み、前記少なくとも１つのリビングヒンジは前記後壁に形成される、
請求項１３又は１４に記載のアダプタ。
【発明の詳細な説明】
【技術分野】
【０００１】
本出願は、２００７年１０月３１に出願された米国特許出願番号第１１／９３１，８９９号の一部継続出願であるとともに同米国特許出願の優先権及び利益を主張する。この米国特許出願の開示は参照によりその全てが本願に援用される。
【０００２】
本発明は、積み重ね可能な容器、より具体的には、溶接電極を入れるための積み重ね可能な容器に関する。
【背景技術】
【０００３】
非常に多くの種類の消耗品が、毎日、展示用及び消費者への販売のためにパッケージされる。幾つかの品物は、小売ディスプレイに配置されるとともに機能又は特定の用途における使用によって分類された容器に入れて販売される。販売される品物の種類は、保管するために及び品物を効果的に展示するために必要なパッケージングの種類に影響し得る。幾つかの品物は、一緒に束ねられるとともに堅い容器に入れられる。この容器は、束の形状に一致しない。結果として、品物は、取り扱われるとき、容器内で移動しがちである。１つのこのような種類の品物は、例えば、棒溶接工法で使用される溶接棒のような、工業用の消耗品に関する。
【０００４】
このような材料の現在のパッケージングは、概して平らな底部を有して構成される容器を含む。この容器は、一緒に積み重ねられたとき、容器の間の移動を可能にする。消費者は、彼らの用途に必要な特定の製品に関する情報を探して頻繁に容器を持上げる。棚又はスタンドに戻すとき、品物は容器内で移動しがちであり、しばしば、ずれた容器の積み重ねをもたらす。これは、展示をばらばら且つ見苦しく見えるままにし、製造者に悪い影響を与える。多くの場合、容器はスライドし、積み重ねから落下して内容物に損傷を及ぼす。
【発明の概要】
【発明が解決しようとする課題】
【０００５】
したがって、消費者に容易なアクセスを提供しながら、整然とした方法で複数の容器を積み重ねるための手段を含む概して堅い容器に対する必要性が存在する。本発明の実施形態は、積み重ねられた容器の間の横方向の動きを拘束するが、長手方向の動きを許容し、したがって前述の問題を取り除く、積み重ね可能な容器を提供する。
【課題を解決するための手段】
【０００６】
本発明の１つの実施形態では、関連する溶接材料を保管するための内部領域を有する積み重ね可能な容器が、関連する溶接電極を入れるための開放端部を定める１つ又は複数の壁を有する容器ボディを含み、１つ又は複数の壁は、容器が積み重ねの関係で置かれるとき、第１の積み重ね可能な容器の第２の実質的に同様の積み重ね可能な容器に対する長手方向の動きを可能にしながら、横方向の動きを拘束するための相補的な外形を有する、第１及び第２の遠位に配置された面を定める。
【０００７】
本発明の実施形態の１つの態様では、容器ボディは、概して縦長であるとともに、第１の面内に長手方向に形作られた凹部、及び第２の遠位に配置された表面から延びる少なくとも第１の突出部を含み、第１の積み重ね可能な容器の少なくとも第１の突出部は第２の積み重ね可能な容器の凹部に隣り合って並べられ、第１の積み重ね可能な容器は、第２の積み重ね可能な容器に対して横方向の動きが拘束される。
【０００８】
本発明の実施形態の他の態様では、少なくとも第１の突出部は、第２の遠位に配置された面に沿って長手方向に形作られた少なくとも第１のリッジ部を含む。
【０００９】
本発明の実施形態のさらに他の態様では、第２の遠位に配置された面は、第２の遠位に配置された面に沿って長手方向に形作られた第１及び少なくとも第２のリッジ部を含む。
【００１０】
本発明の実施形態のまた別の態様では、容器ボディは、成形可能なポリマから作られる。
【００１１】
本発明の実施形態の別の態様では、積み重ね可能な容器は、特徴的幅を有する凹部、及び第１の面から延びるとともに凹部の幅にわたる少なくとも１つのリブを含む
本発明の実施形態のさらに別の態様では、第１の面は、第１及び第２の概して傾斜した角部を含み、第１及び第２の概して傾斜した角部のそれぞれは、積み重ね可能な容器の横軸に対して角度Ａを形成するとともに、第２の遠位面は、第３及び第４の概して平らな斜面部分を有し、第３及び第４の概して平らな角部のそれぞれは、積み重ね可能な容器の横軸に対して角度Ａ１を形成する。
【００１２】
本発明の実施形態のさらにまた別の態様では、角度Ａ及びＡ１は実質的に等しい。
【００１３】
本発明の他の実施形態では、溶接消耗品の積み重ね可能なパッケージは、開放端部及び内部領域を定める１つ又は複数の壁を有する射出成形された容器ボディを含み、１つ又は複数の壁は、第１及び第２の積み重ね可能な容器が積み重ねの関係で置かれるとき、第１の積み重ね可能な容器の第２の実質的に同様の積み重ね可能な容器に対する長手方向の動きを許容しながら、横方向の動きを拘束する第１及び第２の面を定め、１つ又は複数の溶接電極が容器ボディ内に入れられる。
【００１４】
本発明の実施形態の１つの態様では、積み重ね可能な容器は、容器ボディの開放端部を閉じるために容器ボディに係合するように適合されるキャップを含む。
【００１５】
本発明の実施形態の他の態様では、容器ボディは、長手方向軸に対して実質的に均一の断面を有する。
【００１６】
本発明の実施形態のさらに他の態様では、積み重ね可能なパッケージは、第１の面内に長手方向に形作られた凹部を含み、第２の面は、第２の積み重ね可能なパッケージに対して第１の積み重ね可能なパッケージの横方向の動きを拘束するように、第１の面に対して相補的である。
【００１７】
さらなる態様、実施形態及び利点は、例示的な実施形態、図面及び請求の範囲の以下の記載から明らかになるであろう。
【図面の簡単な説明】
【００１８】
【図１】図１は、本発明の実施形態による品物を入れるための容器の斜視図である。
【図２】図２は、本発明の実施形態による容器内に収容した品物を閉じ込めるためのキャップを示す容器の斜視図である。
【図３】図３は、本発明の実施形態による一緒に積み重ねられた複数の実質的に同様の容器の斜視図である。
【図４】図４は、本発明の実施形態による一緒に積み重ねられた複数の実質的に同様の容器の端面図である。
【図５】図５は、本発明の実施形態による積み重ね可能な容器の他の実施形態の斜視図である。
【図５ａ】図５ａは、本発明の実施形態による積み重ね可能な容器の下側の斜視図である。
【図６】図６は、本発明の実施形態による積み重ね可能な容器の別の実施形態の斜視図である。
【図７】図７は、本発明の実施形態による容器内に収容した品物を閉じ込めるためのキャップを示す容器の斜視図である。
【図８】図８は、本発明の実施形態による品物を入れるための容器のためのアダプタの実施形態の斜視図である。
【図９】図９は、本発明の実施形態による品物を入れるための容器と合わせた図８に示されたアダプタの分解斜視図である。
【図１０】図１０は、本発明の実施形態による品物を入れるための容器と係合した図８に示されたアダプタの斜視図である。
【図１１】図１１は、本発明の実施形態による容器に収容されるとともにアダプタを貫通する品物を含む図１０に示された品物を入れるためのアダプタ及び容器の斜視図である。
【図１２】図１２は、本発明の実施形態による品物を入れるための容器のためのアダプタのさらなる実施形態の斜視図である。
【図１３】図１３は、本発明の実施形態による品物を入れるための容器のためのアダプタのさらなる実施形態の斜視図である。
【図１４】図１４は、本発明の実施形態による品物を入れるための容器のためのアダプタの他の実施形態の斜視図である。
【発明を実施するための形態】
【００１９】
本発明の実施形態を説明する目的だけのためであり本発明を限定する目的のためではない図面を参照すると、図１及び２は、１つ又は複数の品物を入れるための、容器１０を示す。容器１０は、品物を収容するための内部領域１６を定める複数の壁１３を含み得る。１つの実施形態では、容器１０は、複数の品物を収容するように寸法決めされるとともに構成される。この品物は、例として、溶接電極１９であり得る。より具体的には、容器１０は、溶接棒２０を収容する及び／又は入れるために使用され得る。このようなものとして、容器１０は、概して縦長である。しかし、当業者は、他の種類の品物に対する本発明の実施形態の用途を容易に理解するであろう。壁１３はさらに、第１及び第２の端部２２、２３を定める。ここに２２として示されたこれらの一方の端部は、溶接電極１９を入れるために開放し得る。容器１０の遠位又は第２の端部２３は閉鎖されることが理解されるべきである。特定の溶接用途のために必要とされるまで、溶接電極１９を周囲の状況から保護することによって、溶接電極１９を保全することが望ましいので、容器１０は、概して堅い容器であり得るとともに、容器１０内に溶接電極１９を閉じ込めるためのキャップ２５をさらに含み得る。
【００２０】
続けて図１及び２を参照するとともに今図３も参照すると、容器１０は、積み重ね可能な容器１０であり得る。積み重ね可能であることによって、複数の容器１０は１つをもう１つの上に置くことができ、アライメントは容器１０の形状によって保持される。壁１３はしたがって、積み重ね可能な容器１０を構成すると共にアライメントを保持するように機能する相補的な面を有する外面２９を定め得る。１つの実施形態では、相補的な面は、第１及び第２の壁又は壁部３０、３１から構成され、これらは上部及び底部壁３０、３１であり得る。上部及び底部壁３０、３１は、側壁又は側壁部３４によって離される又は離間され得る。典型的な方法では、容器１０は、２つの概して平らな壁部３４を有することができ、したがって、概して長方形の断面を有する容器１０を形作る。したがって、壁３０、３１、及び３４のそれぞれは、実質的に直角に形作られ得るということになる。しかし、壁３０、３１及び３４が湾曲し得る、又は湾曲した部分を含み得る、及び、さらに、本発明の実施形態の対象の意図された範囲から離れることなしに、９０度以外の角度に向けられ得ることが理解されるべきである。
【００２１】
続けて図１乃至３を参照すると、外面、特に上部及び底部壁３０、３１は、それぞれ適合する凹部及び突出部を有するように構成され得る。すなわち、上部壁３０は、隣接して配置されかつ実質的に同様の容器１０の底部壁３１の突出部３９を受けるように構成された凹部３６を含み得る。凹部３６は、容器２０の上面、すなわち上部壁３０に沿って長手方向に形成され得る。１つの実施形態では、凹部３６は、容器１０の全長に沿って延びる。代替実施形態は、凹部３６が容器１０の上面の一部に沿って延びることが、考えられる。上述の突出部３９は、凹部３６の反対側に位置し得るので、１つの容器１０のもう１つへの積み重ねを容易にする。凹部３６及び突出部３９の適合する構造は、容器１０の間の長手方向の動きを許容しながら積み重ねられた容器１０の間の横方向の動きを拘束するように機能し得る。これは、潜在的購入者が、例えば、容器１０の整然として配置を乱すことなしに、小売ディスプレイに積み重ねられた、パッケージされた品物を手に取ることを可能にする。したがって、上部壁３０は、凹部３６を有する上面を含み、この凹部３６はチャンネル３７になり得るとともに、底部壁３１は、もう１つの容器１０の凹部３６に収まるように、下面から延ばされた突出部３９を有する下面を含む。
【００２２】
ここで図３及び４を参照すると、図４は、本発明の１つの実施形態を描き、２つの積み重ねられた容器１０の端面図を示す。この実施形態では、上部壁３０の上面に形作られた凹部３６は、容器１０の全長に沿って延びるとともに上部壁３０の幅に広がるチャンネル３７を有する。チャンネル３７が、本発明の実施形態の使用に適した任意の幅を有して形作られ得ることに留意されたい。遠位壁３１の下面は、それに対応して、容器１０の反対側に沿って延びるレール又はリッジ部４０を含む。２つの容器１０が一緒に積み重ねられるとき、１つの容器１０のリッジ部４０は、チャンネル３７に受け止められるとともにチャンネル３７の広がりと当接し、容器１０を整列して保つためのガイドとして機能する。より具体的には、下面は、チャンネル３７の幅に適合する距離だけ離間された２つのレール又はリッジ部４０を含み得る。チャンネル３７の幅及びリッジ部４０の間の長さは、本発明の実施形態の使用に適切な任意の長さに設定され得ることが、考慮されるべきである。しかし、２つの寸法は大きさが近く、したがって積み重ねられた容器１０の間の密着を確実にすることが好ましい。
【００２３】
続けて図４を参照すると、１つの実施形態では、容器の壁３０、３１の接続部分４４が傾斜面４５を含み得る。すなわち、容器の壁３０、３１の側部は、傾斜端部４６で終端し、この傾斜端部４６は形状が概して平坦であり得る。傾斜面４５は、壁３０、３１及び３４の周囲の外側に広がるように形作られ得る。傾斜面４５の端部は、上部壁３０の上面においてチャンネル３７を形成し得るとともに底部壁３１の下面においてリッジ部４０を形成し得る。上部壁３０に隣接する傾斜面４５ａの幅が底部壁３１に隣接する傾斜面４５ｂの幅より短いことが留意される。したがって、より広い傾斜面４５ｂは、リッジ部４０の間のギャップを、上部壁３０に形作られたチャンネル３７内にはめ込むのに十分な距離まで狭くすることが理解されるであろう。傾斜面４５ａ、４５ｂの任意の幅及び、特に、傾斜面４５ａ、４５ｂの幅の任意の比が、妥当なエンジニアリング判断で選択され得ると解釈されるべきである。傾斜面４５が形成される角度はまた、横方向容器軸Ｙから見るとき、どのようにリッジ部４０がチャンネル３７とつながるかに影響し得ることが当業者によって理解されるであろう。現在の実施形態では、横方向容器軸Ｙに対する傾斜面４５ａ、４５ｂの角度は４５°であり得る。すなわち、傾斜面４５ａ、４５ｂの角度は実質的に等しい。しかし、傾斜面４５ａの角度が傾斜面４５ｂの角度と異なり得ることが代替実施形態では考えられる。実際、傾斜面４５ａ、４５ｂの任意の角度が、積み重ね可能な容器１０を作るのに適しているような妥当なエンジニアリング判断で選択され得る。前述の実施形態は概して平らな外形から構成される上方及び下方面を記載しているが、湾曲した又は他の非線形の面もまた、積み重ね可能な容器１０を作るために相補的な上方及び下方面を有するように利用され得ることが理解されるであろう。
【００２４】
再び図１及び３を参照すると、容器１０はさらに、チャンネル３７の幅に広がる方法で横方向に作られたリブ４８を含む。リブ４８の高さは、チャンネル３７の深さより短くなり得る。このように、リブ４８は、隣接する容器１０のリッジ部４０をチャンネル３７内に位置決めするのを助けるように機能する。リブ４８なしでは、もう１つの容器１０に積み重ねられた容器１０は、容器１０の長手方向の中心線に対してずれて位置し得る。結果として、横方向の動きが、その次に積み重ねられた容器１０に反対方向に積み重ねから外れる機会を提供する１方向のみに拘束される。任意の数のリブ４８が、容器の長さに沿った様々な位置で上方面の外形に組み込まれ得る。現在の実施形態では、第１のリブ４８は、容器の一方の端部に作られている。容器１０の遠位端部には、キャップ２５と容器ボディ１１との間の接続領域から構成される第２のリブ４８が含まれ得る。言い換えると、キャップ２５及び容器ボディ１１の重なり部分は、次に続く段落でさらに説明されるように、積み重ね可能な容器１０を整列させるための第２のリブ４８を形成する。
【００２５】
今図５、５ａ及び６を参照すると、本発明の他の実施形態が説明される。前の実施形態と同様に、容器１０は、概して長方形の断面を有して作られ得る。しかし、現実施形態の容器１０の角部は、傾斜面４５ａ、４５ｂで終端していない。むしろ、上部及び底部壁３０、３１は、実質的に直角に側壁３４から直接延びる。積み重ねられた容器１０の間の長手方向の動きを容易にするために、上部壁３０の上面は、前の実施形態のもののようなチャンネル３７ａを含み得る。しかし、前の実施形態とは対照的に、突出部３９が底部壁３１から直接且つ垂直に延びるように作られることができ、チャンネル３７ａの幅より僅かに小さい幅を有する。したがって、１つの容器１０がもう１つの上に積み重ねられるとき、第１の容器１０のチャンネル３７が、第２の容器の突出部３９ａを受ける。チャンネル３７の側部はしたがって、突出部３９ａの横方向の動きを制限するがそれらの間の長手方向の動きを可能にすることによって、積み重ねられた容器１０を拘束するように機能する。
【００２６】
容器１０は、熱可塑性ポリマ等、成形可能な材料を用いて作られ得る。典型的な方法では、容器１０は、ポリプロピレン、ポリエチレン、及び／又はゴムを用いて作られ得る。しかし、任意の種類の材料、熱可塑性物質、熱硬化性物質、又はそれ以外が、本発明の実施形態の容器１０を作るために用いられ得る。容器１０は、射出成形プロセスを用いて形成され得る。このプロセスでは、典型的には２つの適合する半部から作られる、金型が、金型半部を合わせて押し付けるために閉じるプラテンを有するプレス機に設置される。金型は、閉じられたとき、容器１０の形状を定める、キャビティとともに製造される。１つの実施形態では、金型コアが容器１０の内部の形状を定めるために使用される。ポリマ材料が次にバレル内で溶かされ、そして金型キャビティに注入される。冷却サイクルが続いて開始され、その後成型された容器１０が金型から排出される。ブロー成型を含むがこれに限定されない他のプロセスも、容器１０を作るために使用され得ることがここで留意される。
【００２７】
再び図２そして今図７を参照すると、前述のように、容器１０は、溶接電極１９を容器１０内に閉じ込めるためのキャップ２５を含み得る。このようなものとして、容器１０は、溶接電極１９を収容するための、概して１１で示される、容器ボディ、及び容器１０を閉じるための容器キャップ２５を有する。キャップ２５は、別々であるが、上述のような、容器ボディ１１のものと同様のプロセスで作られ得る。１つの実施形態では、キャップ２５は、容器ボディ１１のものと同様の構造を有し得る。すなわち、キャップ２５は、内部領域１６を定める１つ又は複数の壁３０、３１及び３４を含み得る。この内部領域は、容器ボディ１１の内部領域１６に対応し得る。このように、容器１０内に蓄えられる溶接電極１９は、場所間を輸送されることから生じ得る如何なる損傷も最小化するように両端部で均一に支持される。容器ボディ１１の長さは、そこに貯蔵された溶接電極１９の長さに比例し得る。より具体的には、容器ボディ１１は、キャップ２５が外されたとき、端部のみが露出し、したがって電極１９への損傷の可能性を最小化するように、溶接電極１９の長さより僅かに短い長さを有し得る。キャップ２５は、容器ボディ１１より顕著に短くなり得る。１つの実施形態では、容器１０の過剰な余裕が輸送中に溶接電極１９を損傷するかもしれないので、キャップ２５は、容器１０内に過剰な余裕を残すことなしに、溶接ロッドの露出された部分をカバーするのにちょうど十分な長さを有し得る。しかし、任意の長さのキャップ２５及び任意の長さの容器ボディ１１が、本発明の実施形態での使用に適切であるように、選択され得ることが、考慮されるべきである。
【００２８】
続けて図７を参照すると、キャップ２５は、容器ボディ１１と係合するように作られ得る。１つの実施形態では、キャップ２５は、容器ボディ１１の開放端部２２のものと同様の開口部５４を有して作られ得る。キャップ２５はさらに、口部５４の内側に作られるリップ５６を含み得る。このリップ５６は、開放端部２２近くで容器ボディ１１の外部に作られたリム５０とかみ合うように設計される。容器ボディ１１の開放端部２２を閉じるために、口部５４は、キャップ２５が容器ボディ１１の開放端部２２の上に嵌合するように、僅かに大きい外周を有して作られ得る。このように、キャップ２５が容器ボディ１１上に位置するとき、リップ５６及び／又はリム５０は、弾性的に変形し、したがって、ぱちんとかみ合い、容器１０内に溶接電極１９を閉じ込める。同様に、キャップ２５を容器ボディ１１から引っ張ることは、リップ５６及びリム５０のかみ合いを解除する。キャップ２５の口部５４の近く及び容器ボディ１１の開放端部２２の任意の厚さの壁が本発明の実施形態での使用に適切であるように選択され得ることが、ここでは留意される。
【００２９】
今図８−１１を見ると、アダプタ６０が、溶接作業中、溶接電極又はロッド１９等、細長い物体を運ぶための改良された装置を提供するために、容器１０と合わせた使用のために追加的に提供される。アダプタ６０は、複数の壁６２、６４及び６６によって定められる通路又は開口６１を含み、開口は容器ボディ１１の開放端部２２と同様に寸法決めされる。図８に示されるように、アダプタ６０は、多角形であり得る、より具体的には、アダプタ６０は、８つの側面を持つ、又は８角形の、外周を有し得る。
【００３０】
１つの実施形態では、アダプタは、後壁６４と平行且つ離間される前壁６２を有し、保持部材６５が後部壁から延びる。保持部材６５は、弾性クリップ、スプリングクリップ、フック、又は同様のものであり得る。図８に示された実施形態では、保持部材６５は、アダプタ６０の一体の要素として形成される。言い換えると、保持部材６５は、アダプタ６０の形成中に成型されることができ、したがってアダプタ６０は一体構造であり、保持部材６５を含む。
【００３１】
代替的には、図１２に示されるように、保持部材６５０は、アダプタのボディから分離して形成され得るとともに、その後に後壁６４に又は後壁６４内に固定され得る。例えば、保持部材５０は、後壁６４のスロット又は凹部６５４に挿入可能なタブ又は舌部６５２を含み得るとともに、歯、接着剤又は当業者に知られた他の方法によって、そこに固定又は保持され得る。保持部材６５０が形成され得る幾つのかの材料は、減少した保持能力をもたらし得る使用中の繰返し応力によるひずみにさらされ得るので、保持部材は、アダプタから取り外されえるとともに他の保持部材に交換され得るように、アダプタ６０に一時的に取付けられ得る。さらに、ユーザは、保持部材６５０を、それによってその保持力又は保持能力が減少し得る、その弾性限界を超えて、意図せずに塑性変形させ得る。したがって、保持部材６５０を取り外し、他の保持部材と交換することが望ましい場合がある。
【００３２】
またさらに、アダプタ６０は、前、後、及び側壁との間に延びる傾斜壁６８を持つ、前壁６２及び後壁６４に垂直である一対の離間した側壁６６を含む。このようなものとして、アダプタ６０の軸方向断面は、容器ボディ１１及び開放端部２２の軸方向断面と一致する、又は同等である。アダプタ６０の軸方向断面は、容器本体１１の開放端部２２の壁及び面と同じように配置された壁６２、６４、６６を有するが、アダプタの壁は開放端部の外観より僅かに大きくなるように寸法決めされることになる。アダプタ６０は、キャップ２５と同様の方法で構成される、すなわち、アダプタは、容器ボディ１１の開放端部２２と同様に寸法決めされる、壁６２、６４及び６６によって定められる通路又は開口６１を有する。キャップ２５の場合のように、アダプタ６０は、通路６１の内側に作られたリップ６３を含み、リップは、開放端部２２の近くで容器ボディ１１の外部に作られたリム５０とかみ合うように構成される。
【００３３】
開放端部２２を囲むとともに係合する又は包むために、通路６１は、開放端部２２より僅かに大きい外周を有するように構成される。したがって、アダプタ６０は、容器ボディ１１の開放端部２２の上に嵌合する。１つの実施形態では、アダプタ６０は容器ボディ１１の上に位置するとき、リップ６３及び／又はリム５０は弾性的に変形し、したがって、ぱちんと又は跳ねてかみ合う。したがって、リップ６３及びリム５０は、戻り止め嵌合を形成するといえる。代替的には、リップ６３及びリム５０は、締まりばめ又はスナップばめで固定され得る。同様に、アダプタ６０は、アダプタ６０を容器ボディ１１から引っ張ることによって、容器ボディ１１からかみ合いを解除され、それによってリップ６３及び／又はリム５０が弾性的に変形し、アダプタ６０が容器ボディ１１と係合するプロセス中と同様の方法で互いを超えて通過する。
【００３４】
図１３に示されたさらなる実施形態では、ギャップ又は空所６７が容器ボディ１１の長手方向軸と平行に前壁６２に形成され得る。１つの実施形態では、ギャップ６７は、前壁６２の全高を通して延びるが、ギャップが全高より少なく延び得ることも考えられる。図１３に示された構成は、アダプタ６０が、容器ボディ１１と係合及び容器ボディ１１から係合解除されるとき、比較的より容易に変形されることを許容する。このような場合、後壁６４は、アダプタ６０の容器ボディ１１との係合又は係合解除中に曲がるが、係合された又は係合解除されたとき、その静的な、曲げられていない状態に戻るように、後壁６４は弾性的に変形可能であり得る。代替的に又は追加的には、図１４に示されるように、後壁６４は、少なくとも１つのリビングヒンジ６９を含み得る、すなわち、容器ボディ１１の長手方向軸に平行に向けられた材料の薄い、可撓性のウェブによって接続される、複数の堅い部分を含むように成型され得る。弾性変形可能及び／又はヒンジ接続された壁を含む実施形態は後壁６４に関するこのような実施形態を説明するが、このような特徴は、ユーザがアダプタ６０を容器ボディ１１から係合及び係合解除することを可能にするように、任意の壁６２、６４、６６及び／又は６８に組み込まれ得ることが想定される。アダプタ６０の通路６１及び容器ボディ１１の開放端部２２の近くの任意の厚さの壁が、このような厚さが容器ボディと併せたアダプタの係合及び係合解除を可能にするという条件で、考慮されることが留意される。
【００３５】
ユーザが溶接を始めることを望むとき、キャップ２５が容器ボディ１１から外され、アダプタ６０が上述のように容器ボディ１１と係合される。容器ボディ１１の底部又は第２の端部２３は、アダプタ６０が容器ボディ１１に係合される間、キャップ２５が第２の端部２３に保持され得るように構成され得る。ユーザは次に、クリップで取付けること、スライドさせること、又は他の何らかの係合の手段によって、ベルト、ウエストバンド、ポケット又は衣類の同様の物の上に保持手段６５を置く。溶接電極１９が次に、容器１０から取り出され、電極ホルダに取付けられる。第１の電極が溶接プロセスによって使い果たされると、第２の電極が、ユーザの体に便利に配置された容器１０から取り出されるので、電極を使い果たしてから新しい電極で溶接プロセスを再開する間の時間を減少させる。いったんユーザが溶接を終えると、アダプタ６０は、開放端部２２から取り外され得るとともに、キャップ２５が開放端部に戻され得る。便宜上、アダプタ６０はその後、アダプタ６０を置き忘れる又は紛失する機会を最小化するために、第２の端部２３に配置され得る。
【００３６】
アダプタ６０は、容器ボディ１１の製造に使用されるものと同じ又は同様の材料で作られ得る。この材料は、熱可塑性又は熱硬化性ポリマ等、成型可能な材料を含み得る。例えば、アダプタ６０は、ポリプロピレン、ポリエチレン、及び／又はゴムを含む、熱可塑性エラストマを使用して作られ得る。幾つかの実施形態では、例えばアルミニウム等、弾性変形可能な金属からアダプタ６０を形成することが望ましい場合がある、前に示したように、保持部材６５は、アダプタ６０の一体部分として成型され得る。代替的には、保持部材６５は、成型可能なプラスチック、金属、又は他の適切な材料から別々の製造プロセスによって形成され、その後続いてアダプタ６０に付けられ得る。
【００３７】
ある場合には、アダプタ６０は、射出成形プロセスを使用して形成される。このプロセスでは、典型的には２つの適合する半部から作られる、金型が、金型半部を合わせて押し付けるために閉じるプラテンを有するプレス機に設置される。金型は、閉じられたとき、アダプタ６０の形状を定める、キャビティとともに製造される。１つの実施形態では、金型コアがアダプタ６０の内部の形状を定めるために使用される。ポリマ材料が次にバレル内で溶かされ、そして金型キャビティに注入される。冷却サイクルが続いて開始され、その後成型されたアダプタ６０が金型から排出される。限定されることなしに、ブロー成型及びスタンピングを含む他のプロセスも、アダプタ６０を作るために使用され得ることがここで留意される。
【００３８】
本発明は好適な実施形態を参照してここに記載されている。当然ながら、この明細書を読んで理解することにより、他の人は変更又は代替を思い付くであろう。全てのこのような変更及び代替が添付の特許請求の範囲又はその均等物の範囲内に入る限り、それらを含むことが意図される。
【符号の説明】
【００３９】
１０  容器
１１  ボディ
１３  壁
１６  内部領域
１９  溶接電極
２０  溶接棒
２２  第１の端部
２３  第２の端部
２５  キャップ
２９  外面
３０  上部壁
３１  底部壁
３４  側壁／側壁部
３６  凹部
３７  チャンネル
３７ａ  チャンネル
３９  突出部
３９ａ  突出部
４０  リッジ部
４４  接続部分
４５  面
４５a  面
４５b  面
４６  傾斜端部
４８  リブ
５０  リム
５４  口部
５６  リップ
６０  アダプタ
６１  通路
６２  前壁
６４  後壁
６５  保持部材
６６  側壁
６８  傾斜壁
６９  リビングヒンジ
６５０  保持部材
６５２  タブ又は舌部
６５４  凹部
【図１】
2014520040.tif 000003
【図２】
2014520040.tif 000004
【図３】
2014520040.tif 000005
【図４】
2014520040.tif 000006
【図５】
2014520040.tif 000007
【図５Ａ】
2014520040.tif 000008
【図６】
2014520040.tif 000009
【図７】
2014520040.tif 000010
【図８】
2014520040.tif 000011
【図９】
2014520040.tif 000012
【図１０】
2014520040.tif 000013
【図１１】
2014520040.tif 000014
【図１２】
2014520040.tif 000015
【図１３】
2014520040.tif 000016
【図１４】
2014520040.tif 000017
【国際調査報告】
2014520040.tif 000018
2014520040.tif 000019
2014520040.tif 000020
2014520040.tif 000021
2014520040.tif 000022